(57)【要約】【課題】室内空気を人の健康維持、促進に良いとされる空気質に改善するエントレオール空気清浄機を提供する。【解決手段】吹出口を有する筐体と、前記筐体に備えられ室内空気を前記筐体に吸引する吸気装置と、前記筐体内に設置され前記吸引された室内空気のレヨメータ周波数値、ＭＲＡ−１値及びＯリングテスト値の内の何れか一つの値を改善し、改質空気とする空気改質部材と、からなり、前記改質空気を前記吹出口から放出することを特徴とするエントレオール空気清浄機とした。【選択図】図１
2017056160.tif 000002
【特許請求の範囲】
【請求項１】
吹出口を有する筐体と、
前記筐体に備えられ室内空気を前記筐体に吸引する吸気装置と、
前記筐体内に設置され前記吸引された室内空気のレヨメータ周波数値、ＭＲＡ−１値及びＯリングテスト値の内の何れか一つの値を改善し、改質空気とする空気改質部材と、
からなり、
前記改質空気を前記吹出口から放出することを特徴とするエントレオール空気清浄機。
【請求項２】
前記空気改質部材を、編み目構造体に、タンニンを主成分とする天然系バインダーと粉状化木質系炭とからなる液状炭化物が塗布された空気改質部材としたことを特徴とする請求項１に記載のエントレオール空気清浄機。
【請求項３】
さらに、前記筐体内で前記空気改質部材の上流に配置されたＰＭ２．５を除去するＰＭ２．５対応フィルタと、
前記筐体内で前記空気改質部材の下流に配置された脱臭フィルと、
前記筐体内で前記脱臭フィルタの下流に配置されたアロマディフューザーと、
を備えることを特徴とする請求項１又は請求項２に記載のエントレオール空気清浄機。
【請求項４】
前記脱臭フィルタを、
酸性の臭気成分の化学吸着用のカルボニル基を有する炭化物を備える酸性ガス吸着材、
及び／又は、
塩基性の臭気成分の化学吸着用のカルボキシル基を有する炭化物を備える塩基性ガス吸着材としたことを特徴とする
請求項１〜請求項３の何れか１項に記載のエントレオール空気清浄機。
【発明の詳細な説明】
【技術分野】
【０００１】
本発明は、室内空気を人の健康維持、促進に良いとされる空気質（エントレオール）に改善するエントレオール空気清浄機に関し、さらに、高い清浄度を保ち、脱臭機能、アロマ療法機能も備えたエントレオール空気清浄機に関する。
【背景技術】
【０００２】
人の健康によいとされる空気質を生成する装置として、マイナスイオンを発生させる空気清浄機がある。しかしながら、その他に、室内空気を改善するエントレオール空気清浄機は知られていない。人の健康状態を測定する手法として、図２−図５に示すように、後述のレヨメータ法、ＭＲＡ−１法、Ｏリング法が知られている。
【０００３】
他方、発明者は、特許文献１に、炭、竹炭及びそれぞれの活性炭等の木質系炭が有する諸機能は、その利用の態様によっては様々な恩恵をもたらす可能性を有しているが、形状が不定形な固形の故に、その利用範囲が限定されざるを得ないことを解決した液状炭化物とその製造方法を開示している。
【０００４】
特許文献１の発明は、基剤としての粉末状にした木炭、竹炭等の木質系炭及びそれぞれの活性炭とタンニンを主成分とする天然系バインダーとを混合してなり、前記天然系バインダーは植物材を熱水または温水処理してタンニン含有粗液を生成し、該タンニン含有粗液中の糖類を発酵処理により分解した後、脱臭工程を経て生成される。そして、基剤としての木炭、竹炭の特質を保持し、液状であるため広範な利用形態に適合でき、しかも液状炭化物はいったん乾燥した後は、再溶解性を有しない等木炭、竹炭及びそれぞれの活性炭本来の諸機能を広く活用できる新規な素材としての液状炭化物であり、建築内装材その他に用い、有害物質の吸着等に利用できる。
【０００５】
しかしながら、炭化物を空気清浄機に応用し、人の健康によいとされる空気質生成への応用は知られていない。また、急速に高齢化時代を迎えつつある日本において、住宅内での介護は避けて通れないものになりつつある。またその室内空間も寝たきりの場合など悪環境になりつつある。住環境の空気質の改善は、なんとしても先進国である日本でトップを切って解決しなければならない重大問題でもある。
【先行技術文献】
【特許文献】
【０００６】
【特許文献１】特開２００１−１３９３１６号公報
【発明の概要】
【発明が解決しようとする課題】
【０００７】
そこで、本発明は、室内空気を人の健康維持、促進に良いとされる空気質に改善するエントレオール空気清浄機に関し、さらに、高い清浄度を保ち、脱臭機能、アロマ療法機能も備えたエントレオール空気清浄機を提供することを目的とする。
【課題を解決するための手段】
【０００８】
本発明は、上記課題を解決するため、
（１）
吹出口を有する筐体と、
前記筐体に備えられ室内空気を前記筐体に吸引する吸気装置と、
前記筐体内に設置され前記吸引された室内空気のレヨメータ周波数値、ＭＲＡ−１値及びＯリングテスト値の内の何れか一つの値を改善し、改質空気とする空気改質部材と、
からなり、
前記改質空気を前記吹出口から放出することを特徴とするエントレオール空気清浄機。
（２）
前記空気改質部材を、編み目構造体に、タンニンを主成分とする天然系バインダーと粉状化木質系炭とからなる液状炭化物が塗布された空気改質部材としたことを特徴とする（１）に記載のエントレオール空気清浄機。
（３）
さらに、前記筐体内で前記空気改質部材の上流に配置されたＰＭ２．５を除去するＰＭ２．５対応フィルタと、
前記筐体内で前記空気改質部材の下流に配置された脱臭フィルと、
前記筐体内で前記脱臭フィルタの下流に配置されたアロマディフューザーと、
を備えることを特徴とする（１）又は（２）に記載のエントレオール空気清浄機。
（４）
前記脱臭フィルタを、
酸性の臭気成分の化学吸着用のカルボニル基を有する炭化物を備える酸性ガス吸着材、
及び／又は、
塩基性の臭気成分の化学吸着用のカルボキシル基を有する炭化物を備える塩基性ガス吸着材としたことを特徴とする
（１）〜（３）の何れかに記載のエントレオール空気清浄機。
とした。
【発明の効果】
【０００９】
本発明は、上記構成であるので、室内空気を人の健康維持、促進に良いとされる空気質に改善することができ、さらに、室内空気を高い清浄度で、脱臭された状態に保持し、アロマ療法をも可能にすることができる。
【図面の簡単な説明】
【００１０】
【図１】本発明であるエントレオール空気清浄機の縦断面模式図である。
【図２】レヨメータ法についての説明図である。
【図３】人体の各部位から発せられる周波数値の例である。
【図４】ＭＲＡ−１法についての説明図である。
【図５】Ｏリングテスト法についての説明図である。
【図６】本発明であるエントレオール空気清浄機による空気改質の試験結果である。
【発明を実施するための形態】
【００１１】
以下、添付図面に基づき、本発明の実施の形態について詳細に説明する。ただし、本発明はそれら実施形態に限定されるものではない。
【実施例１】
【００１２】
本発明であるエントレオール空気清浄機１は、図１に示すように、筐体２と、吸気装置３と、空気改質部材４とからなり、さらに必要に応じて、ＰＭ２．５対応フィルタ５と、脱臭フィルタ群（酸性ガス吸着材６、塩基性ガス吸着材７など）と、アロマディフューザー８を備え、室内空気を人の健康に良いとされる空気質に改善することができ、さらに、室内空気を高い清浄度で、脱臭され、アロマ療法状態に保持することができる。
【００１３】
筐体２は、下部に室内空気９を取り込む吸気装置３を嵌合する貫通孔２ｃ及び上部に室内空気９を内部で改変した改質空気９ａとして放出する吹出口２ｅが穿設された本体２ａと、本体２ａの背面に位置する各フィルタを本体２ａに挿抜するための開口を塞ぐ着脱可能な扉２ｂと、本体２ａの底面に設けられた脚２ｄ、各フィルタを上下で挟持して気密的に位置固定する係止具、例えば複数のＬ字金具２ｈと、本体２ａの内部で、各フィルタの空気の流れの下流に位置する穴２ｇを穿設した仕切り２ｆとからなる。
【００１４】
吸気装置３は、筐体２の下部の貫通孔２ｃに配置されたケース３ａと、ケース３ａ内に固定されたモータ３ｂと、モータ３ｂの回転で回転するとともに室内空気９を筐体２内に吸引するファン３ｃと、ファン３ｃの上流に位置し、貫通孔２ｃを覆い大きなゴミの侵入を防ぐ網３ｄとかなり、室内空気９を筐体２内に吸引する。
【００１５】
モータ３ｂは、電源コード３ｇで家庭用商用電源に接続し、配線３ｆ中のスイッチ３ｅでオン・オフできる。スイッチ３ｅには、２４時間連続運転スイッチ、モータ３ｂの回転強弱変更スイッチを含む。なお、吸気装置は、吸気装置３の他、室内空気９を筐体２に送り込めることができれば、形状、送風手段は限定されるものではない。
【００１６】
空気改質部材４は、吸引された室内空気９を通すことでレヨメータ周波数値、ＭＲＡ−１値、或いはＯリングテスト値を改善する。ここでは、空気改質部材４は２枚用いた。環境に応じて、用いる空気改質部材４の枚数は適宜選択される。
【００１７】
レヨメータ周波数値、ＭＲＡ−１値、或いはＯリングテスト値が改善されることで、室内空気９が人の健康維持、促進に良いとされる空気質に改善されたことを意味する。室内空気９が改善されるとは、酸化方向に進む空気質を還元状態に維持、改質することである。一般的には、生活レベルが上がれば上がるほど生活空間の空気質は酸性になる。空気質の還元状態を一言で表すと、深い森林内や、大きい滝の周辺の空気質のようなものである。
【００１８】
空気改質部材４としては、例えば、編み目構造体に、タンニンを主成分とする天然系バインダーと粉状化木質系炭とからなる液状炭化物を塗布してなる。さらに、粉状化木質系炭の割合を天然系バインダーと粉状化木質系炭との混合比６：１を基準としてこれより大きくしてなる。より詳しくは、特開２００１−１３９３１６号公報に開示されている。
【００１９】
より具体的には、例えば、
・前記天然系バインダーは、
（イ）植物材を熱水または温水処理してタンニン含有粗液を生成する工程、
（ロ）タンニン含有粗液中の糖類を発酵処理により分解する工程、
（ハ）次いで脱臭工程を経て天然系バインダーとしてのタンニン含有液を生成する工程、
以上の工程により生成したものであることを特徴とする液状炭化物。
・さらに、前記タンニン含有粗液の発酵処理前に加水分解によりタンニン含有粗液中の糖類の低糖化をなす工程を具えたことを特徴とする液状炭化物。
・上記いずれかにおいて、鉱物類、金属類、塩類のうちの一部または全部を含有させたことを特徴とする液状炭化物。
・前記植物材は、ユーカリまたはアカシアその他の樹皮であることを特徴とする液状炭化物。
・木炭、活性炭等の木質系炭を粉状化し、これに天然系バインダーを添加混合してなる液状炭化物の製造方法において、前記天然系バインダーは、
（イ）植物材を熱水または温水処理してタンニン含有粗液を生成する工程、
（ロ）タンニン含有粗液中の糖類を発酵処理により分解する工程、
（ハ）次いで脱臭工程を経て天然系バインダーとしてのタンニン含有液を生成する工程、
以上の工程により生成したものであることを特徴とする液状炭化物の製造方法。
・前記製造方法において、前記タンニン含有粗液の発酵処理前に加水分解によりタンニン含有粗液中の糖類の低糖化をなす工程を具えたことを特徴とする液状炭化物の製造方法。
・前記いずれかの製造方法において、タンニンを抽出する植物材はユーカリまたはアカシアその他の樹皮であることを特徴とする液状炭化物の製造方法。
これら液状炭化物の塗布、乾燥物に、室内空気を人の健康維持、促進に良いとされる空気質に改善する機能を有することを見出し、本願発明が完成されるに至った。
【００２０】
内空気を人の健康維持、促進に良いとされる空気質は、レヨメータ周波数値で評価できる。レヨメータデジタル計は、発明者の検討の結果、空気イオン測定器と相関関係がある。空気中のイオン（微弱帯電微粒子）は、大、中、小があり、この内、小イオンが人体に影響することが知られている。レヨメータデジタル計で測定される周波数が、小イオンの濃度と相関があることを発明者等は見出し、本願発明が完成されるに至った、もう一つの発見である。
【００２１】
小イオンは、大きい滝壺周辺、深い森林内で、プラス、マイナスともに数値が高く、マイナス側がより高いものである。ところが、市販されているマイナスイオン発生機器は、小イオンのみならず、全ての空気中イオンを検出して、健康によいかのごとく宣伝している。小イオンの量、プラス、マイナスのバランスも無視しているのが現状である。
【００２２】
レヨメータデジタル計（０．１単位）は、図２に示すように、ドイツでは波動療法の医療機器として利用されている。レヨメータデジタル計は、００．０〜９９．９までの１０００通りの周波数を発信することができる。健常者は、１０００通りの周波数全てをもっている。どこかに疾患があると、図３に示す部位に応じた周波数が欠落する。その欠落した周波数を検出するとともに、人体に送信することがレヨメータ治療（図２）である。レヨメータデジタル計と病人が持つ周波数が、共鳴・共振するかどうかは、治療する医師などの生命エネルギーを利用して「振り子」で確認する（図２）。
【００２３】
この原理を利用して室内空気の改質度合いを評価する。空気質は、第一発信周波数（共鳴・共振する領域）に応じて次の６種に分類される。
０．０〜３．５ヘルツ・・「イヤシロチ」という。
４．０〜９．５ヘルツ・・「弱いイヤシロチ」という。
９．６〜１４．９ヘルツ・「中間域」、既存の住宅室内空気はほぼこの領域である。
１５ヘルツ以上・・・・・「ケカレチ」といい、高電圧や変電所の近く、
地下水脈のあるところで検出される。
エントレ域・・・・・・・０．０〜９．５ヘルツ域で共鳴
（ただし、３．６，３．７，３．８，３．９ヘルツでは非共振
９．６〜９９．９ヘルツの間で若干の共鳴）
エントレオール域・・・・上記エントレ域にさらに、９．６〜９９．９ヘルツ域全域で
共振する、最も理想的な室内空気質である。
【００２４】
健常者は、エントレオール域にあり、全ての周波数を発信する。他方、疾患があると、疾患に応じた周波数がブロックされ、非共鳴となる。この原理を用いて、室内空気を評価し、発明者等は、上記レオメータ値と室内空気質の改善度合いの相関を見出したものである。
【００２５】
室内空気質を、人の健康によい順から記載すると、エントレオール→エントレ→イヤシロチ→弱いイヤシロチである。
【００２６】
ＭＲＡ−１法は、当初、助手に患者の血液を持たせ、医者が打診したところ、患者やと同じ打診音が生じることに始まる。助手の体を増幅器として、患者の血液の波動が、共鳴・同調したものと言える。
【００２７】
その後、図３に示すように、患者の血液と助手との間を銅銭でつなぎ、複数の可変抵抗器を通して調べたところ、ある特定の抵抗値のときだけ、打診音が変化することが発見された。それを発展し、ホメオパシー技術も取り入れ、人体によい順を＋２１〜−２１の４３通りに分類、数値化し、ＭＲＡ−１法が治療に用いられている。本発明では、ＭＲＡ−１法で測定された値を、ＭＲＡ−１法と同じく人体により室内空気質の改善の度合いとして評価する。  
【００２８】
Ｏリングテスト法は、図４に示す通りで、その値の良し悪しを、室内空気質の良し悪しの評価として用いる。
【００２９】
ＰＭ２．５対応フィルタ５は、筐体２内の空気改質部材４の上流に配置され、ＰＭ２．５（２．５μｍ以下の粒子状物質）を除去可能なフィルタで、市場に流通している。なお、ＰＭ２．５対応フィルタ５には、必要に応じて、埃など大きな被濾過物を濾過するフィルタ、例えば、不織布などが含まれ、或いはさらに上流に配置される。また、大きな濾過物を濾過するフィルタは、定期的な交換、掃除が必要である。
【００３０】
１０μｍ程度の粒子であれば、痰、咳により排出できるが、ＰＭ２．５は、呼吸器系に沈着して健康に影響を及ぼす。ＰＭ２．５の影響として、呼吸器罹患率や死亡率の増加、肺機能の低下、重い症状としては肺の毛細血管への刺激や呼吸困難、肺気腫などが知られている。子供（幼稚園児まで）と高齢者に、また免疫力が低下している状態では、より影響が大きいとされている。
【００３１】
日本におけるＰＭ２．５は、早期のディーゼル規制などで低減できているが、中国方面からの流入が確認されている。ＰＭ２．５の発生源に近い、九州地方では深刻な問題で、これから健康被害が報告されてくる可能性がある。
【００３２】
ＰＭ２．５は、マスクなどの不織布では濾過できないとされ、専用のフィルタが流通しているので、それらを採用すればよい。中国に起因するＰＭ２．５が、気流で、日本にも飛来してきており日本においてもＰＭ２．５対応であることが望ましい。また、途上国の発展に伴い、ＰＭ２．５の発生地域は、広がりつつある。室内での滞在時間は長いため、室内だけでもＰＭ２．５フリーであることは、健康管理上、極めて有効である。
【００３３】
脱臭フィルタ群は、酸性ガス吸着材６、塩基性ガス吸着材７などからなり、筐体２内の空気改質部材４の下流に位置し、臭気を除去するフィルタであれば限定されない。特に、活性炭或いは炭化物の物理吸着及び化学吸着を利用するとよい。
【００３４】
とりわけ、酸性の臭気成分（例えば硫化水素）の化学吸着にはカルボニル基（＞Ｃ＝Ｏ）を有する炭化物を備える脱臭フィルタ、塩基性の臭気成分（例えばアンモニア）の化学吸着にはカルボキシル基（−ＣＯＯＨ）を有する炭化物を備える脱臭フィルタ等を二段、或いは多段として用いるとよい。
【００３５】
酸性ガス吸着材６は、筐体２内で空気改質部材４の下流に設置され、吸引された室内空気９から硫化水素などの酸性ガスを吸着除去する。酸性ガス吸着材６として、例えば、高温履歴の活性炭などが利用できる。ここでは、酸性ガス吸着材６は３枚用いた。
【００３６】
塩基性ガス吸着材７は、ここでは、筐体２内で酸性ガス吸着材６の下流に設置され、吸引された室内空気９から、アンモニアなどの塩基性ガスを吸着除去する。塩基性ガス吸着材７として、例えば、活性炭の生成過程で内部にカルボキシル基などの官能基を残存させた低温炭を微粉化活性炭などが利用できる。ここでは、塩基性ガス吸着材７は３枚用いた。
【００３７】
臭気物質には、さまざまな物質の多成分系である。これまで、多種多様な機能性物質で吸着除去する装置が開発されてきたが、期待通りのものは少ない。とくに活性炭や炭を利用するタイプは、対象となる臭気物体があまりにも多成分系なので、一部除去できない成分が残り、結果的に効果かないと判断されることがあった。
【００３８】
発明者等は、単純な活性炭だけでなく、吸着除去対象の成分に対応できるように一部活性炭内部に展着剤を導入、固定化した。しかし、コストが上がるだけで、期待する十分な効果は得られなかった。そこで、本発明では、上述のように、炭の物理的吸着機能（微細穴への吸着）と化学的吸着機能（官能基）、この両機能を利用して、従来にない優れた脱臭効果を得ることができた。
【００３９】
アロマディフューザー８は、脱臭フィルタ群の下流に配置される、アロマセラピー（芳香療法）用のアロマを放出する装置である。例えば、加湿器等、ディフューザーにアロマを添加すればよい。
【００４０】
最近、アロマセラピーには、アルツハイマー予防や進行抑制に効果があるとの研究成果が発表されてきている。アロマセラピー用のアロマには、主に、南フランスなどの南欧を中心とするハーブ系、柑橘系、バラなどの花弁系が利用されている。しかし、どれも大変高価である。
【００４１】
他方、日本にもアロマ資源が全国各地に存在しているが、無駄になっているのが現状である。それは、ヒノキやスギ、カラマツ、ヒバなどの葉である。それら葉には、アロマセラピーに活用できる森林系のアロマ成分が比較的大量に含まれている。
【００４２】
森林系アロマ成分を活用するため、エントレオール空気清浄機１の最終段階に森林系のアロマを放出するアロマディフューザー８を設けた。本発明で森林系アロマ成分の利用を通じて、森林産業を活発にし、日本各地の雇用の増進、とくに高齢者の仕事のチャンスを増やすなどして地域の活性化も期待できる。
【００４３】
図６に、本発明であるエントレオール空気清浄機１により、室内空気を人の健康によいとされる空気質に改善する試験結果を示す。なお、空気質の改善度は、レヨメータデジタル計の周波数値で評価した。
【００４４】
図６に示すように、容積約３３ｍ３の室内において、送風量を変えた２回の試験においても、本発明であるエントレオール空気清浄機１は、人の健康によい最も理想的な室内空気質であるエントレオール域を示した。送風量が少ないケース（１３０ｍ３／時間）では、送風量が多いケース（３８０ｍ３／時間）の約２倍の時間を要した。
【符号の説明】
【００４５】
１    エントレオール空気清浄機
２    筐体
２ａ  本体
２ｂ  扉
２ｃ  貫通孔
２ｄ  脚
２ｅ  吹出口
２ｆ  仕切り
２ｇ  穴
２ｈ  Ｌ字金具
３    吸気装置
３ａ  ケース
３ｂ  モータ
３ｃ  ファン
３ｄ  網
３ｅ  スイッチ
３ｆ  配線
３ｇ  電源コード
４    空気改質部材
５    ＰＭ２．５対応フィルタ
６    酸性ガス吸着材
７    塩基性ガス吸着材
８    アロマディフューザー
９    室内空気
９ａ  改質空気
【図１】
2017056160.tif 000003
【図２】
2017056160.tif 000004
【図３】
2017056160.tif 000005
【図４】
2017056160.tif 000006
【図５】
2017056160.tif 000007
【図６】
2017056160.tif 000008